(57)【特許請求の範囲】
【請求項１】
英単語と、前記英単語の意味と、前記英単語中に含まれるフォニックスに基づく文字列であるフォニックス文字列と、前記フォニックス文字列の発音と、音から受ける印象から意味を連想させる文字列である音象徴文字列と、前記音象徴文字列の意味と、が関連づけられて記憶される記憶手段と、
文字が入力される文字入力手段と、
文字を表示するための表示手段と、
前記文字入力手段に入力された文字列に基づいて前記記憶手段を検索し、検索した英単語と、該英単語の意味と、該英単語に含まれるフォニックス文字列と、該英単語に含まれる前記音象徴文字列と、を前記表示手段に表示させる検索出力手段と、
前記表示手段に表示された文字列を選択するための選択手段と、
を備え、
前記検索出力手段は、
前記選択手段によって選択されたフォニックス文字列と同じ発音のフォニックス文字列を有する英単語のみを前記記憶手段から検索して前記表示手段に表示させることにより、選択されたフォニックス文字列と同じつづりの文字列を有していても同じ発音のフォニックス文字列を有さない英単語は前記表示手段に表示させず、
前記選択手段によって選択された音象徴文字列と同じ意味の音象徴文字列を有する英単語のみを前記記憶手段から検索して前記表示手段に表示させることにより、選択された音象徴文字列と同じつづりの文字列を有していても同じ意味の音象徴文字列を有さない英単語は前記表示手段に表示させない電子辞書装置。
【請求項２】
英単語を構成するパーツである、接頭辞と、接尾辞と、語根と、のうち少なくとも１以上が、前記英単語に関連づけられて前記記憶手段に記憶され、
前記接頭辞と、前記接尾辞と、前記語根とは、その意味とともに前記記憶手段に記憶され、
前記検索出力手段は、前記文字入力手段に入力された文字列に基づいて前記記憶手段を検索し、検索した英単語と下記（１）から（３）とを前記表示手段に同時に表示させる請求項１に記載の電子辞書装置。
（１）前記英単語の意味
（２）前記英単語に含まれるフォニックス文字列
（３）前記英単語に含まれる接頭辞と、接尾辞と、語根と、音象徴文字列と、のうち少なくとも１以上及びその意味
【請求項３】
前記検索出力手段は、前記表示手段に表示された接頭辞と、接尾辞と、語根とのうち、前記選択手段によって選択されたものとつづりのみならず意味も同じものを含む英単語を前記記憶手段から検索し、検索された前記英単語を前記表示手段に表示させる請求項２に記載の電子辞書装置。
【請求項４】
前記検索出力手段は、
前記表示手段の表示面の中央部に、前記記憶手段から検索された英単語を表示させ、
前記英単語の周囲に、前記英単語を構成する接頭辞と、接尾辞と、語根と、音象徴文字列とのうち少なくとも１以上及びその意味と、前記英単語中に含まれるフォニックス文字列と、を表示させる請求項２または３に記載の電子辞書装置。
【請求項５】
コンピュータを、
英単語と、前記英単語の意味と、前記英単語中に含まれるフォニックスに基づく文字列であるフォニックス文字列と、前記フォニックス文字列の発音と、音から受ける印象から意味を連想させる文字列である音象徴文字列と、前記音象徴文字列の意味と、を関連づけて記憶する記憶手段と、
文字入力する文字入力手段と、
文字を表示する表示手段と、
前記文字入力手段に入力された文字列に基づいて前記記憶手段を検索し、検索した英単語と、該英単語の意味と、該英単語に含まれるフォニックス文字列と、該英単語に含まれる前記音象徴文字列と、を前記表示手段に表示させる検索出力手段と、
前記表示手段に表示された文字列を選択する選択手段と、
して機能させ、
前記検索出力手段は、
前記選択手段によって選択されたフォニックス文字列と同じ発音のフォニックス文字列を有する英単語のみを前記記憶手段から検索して前記表示手段に表示させることにより、選択されたフォニックス文字列と同じつづりの文字列を有していても同じ発音のフォニックス文字列を有さない英単語は前記表示手段に表示させず、
前記選択手段によって選択された音象徴文字列と同じ意味の音象徴文字列を有する英単語のみを前記記憶手段から検索して前記表示手段に表示させることにより、選択された音象徴文字列と同じつづりの文字列を有していても同じ意味の音象徴文字列を有さない英単語は前記表示手段に表示させない電子辞書プログラム。
【請求項６】
前記記憶手段は、英単語を構成するパーツである接頭辞、接尾辞、語根と、のうち少なくとも１以上を、前記英単語に関連づけて記憶し、かつ、前記接頭辞と、前記接尾辞と、前記語根とについては、その意味とともに記憶し、
前記検索出力手段は、前記文字入力手段に入力された文字列に基づいて前記記憶手段を検索し、検索した英単語と下記（１）から（３）とを前記表示手段に同時に表示させる請求項５に記載の電子辞書プログラム。
（１）前記英単語の意味
（２）前記英単語に含まれるフォニックス文字列
（３）前記英単語に含まれる接頭辞と、接尾辞と、語根と、音象徴文字列と、のうち少なくとも１以上及びその意味
【請求項７】
前記検索出力手段は、前記表示手段に表示された接頭辞と、接尾辞と、語根とのうち、前記選択手段によって選択されたものとつづりのみならず意味も同じものを含む英単語を前記記憶手段から検索し、検索された前記英単語を前記表示手段に表示させる請求項６に記載の電子辞書プログラム。
【請求項８】
前記検索出力手段は、
前記表示手段の表示面の中央部に、前記記憶手段から検索された英単語を表示させ、
前記英単語の周囲に、前記英単語を構成する接頭辞と、接尾辞と、語根と、音象徴文字列とのうち少なくとも１以上及びその意味と、前記英単語中に含まれるフォニックス文字列と、を表示させる請求項６または７に記載の電子辞書プログラム。
【発明の詳細な説明】
【技術分野】
【０００１】
本発明は、電子辞書装置および電子辞書プログラムに関する。
【背景技術】
【０００２】
従来、英単語の意味を調べるためには紙媒体の辞書が使用されてきたが、近年においては、コンパクトながら多数の情報を記憶でき、様々な方法での検索が可能な電子辞書が使用される比率が高くなってきた。これに伴い、様々なタイプの電子辞書が提案され、開発が行われている。
【０００３】
例えば、特許文献１には、全体の処理を統括する制御部と、要求を受け付け解釈する入力部と、単語の表記を示す単語辞書、単語を構成する接頭辞、語根、接尾辞の組合せを示す接辞連接表、接頭辞、接尾辞、語根の種類を示す接辞表、前述の辞書や表から要求された情報を得る検索部、検索結果を要求に応じた形態で表示する表示部、を備えたことを特徴とする電子化辞書について記載されている。
【０００４】
これにより、接頭辞、語根、接尾辞いずれかを共有する語群を提示することができ、さらにそれらを文法的な機能で分類して表示することができるとしている。また接頭辞、接尾辞に誤りがあればこれをわかりやすく表示し修正する手段を提供することができるとしている。
【０００５】
また、特許文献２には、複数の見出し語と当該各見出し語の説明情報とを対応付けた辞書データを記憶する辞書記憶手段と、ユーザ操作に応じて前記辞書記憶手段により記憶された任意の見出し語の説明情報に付加された解説図を表示部に表示させる解説図表示手段と、この解説図表示手段により表示された解説図の中の任意の文字列をユーザ操作に応じて指定する図文字列指定手段と、この図文字列指定手段により指定された文字列を見出し語としてリンクされた当該見出し語の説明情報を、前記辞書記憶手段により記憶された辞書データから読み出して表示部に表示させるリンク指定説明情報表示手段と、を有する電子辞書装置について開示されている。
【０００６】
これにより、見出し語の説明情報として付加された図の中の文字列へのマーカ機能を実現し、これを利用してより効果的に学習することが可能になる電子辞書装置を提供することができるとしている。
【０００７】
また、近年徐々に注目され始めている英語の発音規則であるフォニックスを用いた英語学習に用いられる教材としては、特許文献３などが提案されている。特許文献３には、フォニックスに基づく発音を有する文字列と、日本人にとって音を想像しやすい絵とをあわせた図について記載されている。
【先行技術文献】
【特許文献】
【０００８】
【特許文献１】特開平９−４４４９８号公報
【特許文献２】特許第５０１２９８１号公報
【特許文献３】特開２００２−９１２９３号公報
【発明の概要】
【発明が解決しようとする課題】
【０００９】
しかしながら、従来の特許文献１や特許文献２に開示された電子辞書は、接頭辞、接尾辞、語根に関するデータは有しているが、フォニックスに基づく発音を有する文字列であるフォニックス文字列や音から受ける印象から意味を連想させる文字列である音象徴文字列に関するデータを有していない。このため、前方一致検索や後方一致検索ではそれぞれ「（eaなどの）該当文字列で始まる」または「（eaなどの）該当文字列で終わる」語を検索できるのみであり、さらに部分一致検索を行っても、単語中に含まれるフォニックス文字列を、発音によって分類して表示させることができず、また、「real=re+al」の「e+a」のような同一構成要素とは見なされない文字列までを検索してしまう。さらに、
単語中に含まれる音象徴文字列についても、意味によって分類して表示させることができない。そのため、同一文字列ではあるが、異なる構成要素（フォニックス文字列、音象徴文字列）を含む語を識別することが難しく、フォニックス文字列や音象徴文字列に基づいた単語の学習を効果的に行うことができない。
【００１０】
また、特許文献３に開示されているのはフォニックスの発音を表す図やカルタであり、同一のフォニックス文字列を有する他の英単語を表示させたり、英単語中に含まれているフォニックス文字列を表示させたりすることはできない。更に、音象徴文字列については何の記載もなく、同一の音象徴文字列を有する他の英単語を表示させたり、英単語中に含まれている音象徴文字列を表示させたりすることはできない。このため、フォニックス文字列や音象徴文字列に基づいた英単語の学習を行うことができない。
【００１１】
本発明は、かかる実情に鑑みてなされたものであり、フォニックス文字列や音象徴文字列に基づいた英単語の学習を容易に行うことができる電子辞書装置や電子辞書プログラムを提供しようとするものである。
【課題を解決するための手段】
【００１２】
前記目的を達成するために、本発明に係る電子辞書装置は、英単語と、前記英単語の意味と、前記英単語中に含まれるフォニックスに基づく文字列であるフォニックス文字列と、前記フォニックス文字列の発音と、が関連づけられて記憶される記憶手段と、文字が入力される文字入力手段と、文字を表示するための表示手段と、前記文字入力手段に入力された文字列に基づいて前記記憶手段を検索し、検索した英単語と、該英単語の意味と、該英単語に含まれるフォニックス文字列とを前記表示手段に表示させる検索出力手段と、前記表示手段に表示された文字列を選択するための選択手段と、を備え、前記検索出力手段は、前記選択手段によって選択されたフォニックス文字列と同じ発音のフォニックス文字列を有する英単語を前記記憶手段から検索し、検索した前記英単語を前記表示手段に表示させることを特徴としている。
これにより、入力した英単語に含まれるフォニックス文字列と同じ発音を有する同じフォニックス文字列を含む英単語を表示手段に表示させることができるので、共通する同じ発音の同じフォニックス文字列を有する英単語をまとめて体系的に学習することが可能になる。
【００１３】
また、本発明に係る電子辞書装置は、英単語を構成するパーツである、接頭辞と、接尾辞と、語根と、音から受ける印象から意味を連想させる文字列である音象徴文字列と、のうち少なくとも１以上が、前記英単語に関連づけられて前記記憶手段に記憶され、前記接頭辞と、前記接尾辞と、前記語根と、前記音象徴文字列とは、その意味とともに前記記憶手段に記憶され、前記検索出力手段は、前記文字入力手段に入力された文字列に基づいて前記記憶手段を検索し、検索した英単語と下記（１）から（３）とを前記表示手段に同時に表示させることを特徴としている。
（１）前記英単語の意味
（２）前記英単語に含まれるフォニックス文字列
（３）前記英単語に含まれる接頭辞と、接尾辞と、語根と、音象徴文字列と、のうち少なくとも１以上及びその意味
これにより、英単語を構成する、フォニックス、接頭辞、接尾辞、語根、音象徴文字列を容易に知ることができるので、英単語について単に意味だけでなくその構成に基づく学習が可能になる。
【００１４】
更に、本発明に係る電子辞書装置は、前記検索出力手段は、前記表示手段に表示された接頭辞と、接尾辞と、語根と、音象徴文字列とのうち、前記選択手段によって選択されたものと同じものを含む英単語を前記記憶手段から検索し、検索された前記英単語を前記表示手段に表示させることを特徴としている。
これにより、フォニックスのみならず、接頭辞と、接尾辞と、語根と、音象徴文字列とについても同じものを含む英単語を体系的に学習することが可能になる。
【００１５】
更にまた、本発明に係る電子辞書装置は、前記検索出力手段は、前記表示手段の表示面の中央部に、前記記憶手段から検索された英単語を表示させ、前記英単語の周囲に、前記英単語を構成する接頭辞と、接尾辞と、語根と、音象徴文字列とのうち少なくとも１以上及びその意味と、前記英単語中に含まれるフォニックス文字列と、を表示させることを特徴としている。
これにより、英単語を構成する要素を見えやすく表示できるので、英単語を構成する要素の把握、学習を容易に行うことができる。
【００１６】
また、本発明の電子辞書プログラムは、コンピュータを、英単語と、前記英単語の意味と、前記英単語中に含まれるフォニックスに基づく文字列であるフォニックス文字列と、前記フォニックス文字列の発音と、を関連づけて記憶する記憶手段と、文字入力する文字入力手段と、文字を表示する表示手段と、前記文字入力手段に入力された文字列に基づいて前記記憶手段を検索し、検索した英単語と、該英単語の意味と、該英単語に含まれるフォニックス文字列とを前記表示手段に表示させる検索出力手段と、前記表示手段に表示された文字列を選択する選択手段と、して機能させ、前記検索出力手段は、前記選択手段によって選択されたフォニックス文字列と同じ発音のフォニックス文字列を有する英単語を前記記憶手段から検索し、検索した前記英単語を前記表示手段に表示させることを特徴としている。
これにより、入力した英単語に含まれるフォニックス文字列と同じ発音を有する同じフォニックス文字列を含む英単語を表示手段に表示させることができるので、共通する同じ発音の同じフォニックス文字列を有する英単語をまとめて体系的に学習することが可能になる。
【００１７】
更に、本発明の電子辞書プログラムは、前記記憶手段は、英単語を構成するパーツである接頭辞、接尾辞、語根と、音から受ける印象から意味を連想させる文字列である音象徴文字列と、のうち少なくとも１以上を、前記英単語に関連づけて記憶し、かつ、前記接頭辞と、前記接尾辞と、前記語根と、前記音象徴文字列とについては、その意味とともに記憶し、前記検索出力手段は、前記文字入力手段に入力された文字列に基づいて前記記憶手段を検索し、検索した英単語と下記（１）から（３）とを前記表示手段に同時に表示させることを特徴としている。
（１）前記英単語の意味
（２）前記英単語に含まれるフォニックス文字列
（３）前記英単語に含まれる接頭辞と、接尾辞と、語根と、音象徴文字列と、のうち少なくとも１以上及びその意味
これにより、英単語を構成する、フォニックス、接頭辞、接尾辞、語根、音象徴文字列を容易に知ることができるので、英単語について単に意味だけでなくその構成に基づく学習が可能になる。
【００１８】
更にまた、本発明の電子辞書プログラムは、前記検索出力手段は、前記表示手段に表示された接頭辞と、接尾辞と、語根と、音象徴文字列と、のうち、前記選択手段によって選択されたものと同じものを含む英単語を前記記憶手段から検索し、検索された前記英単語を前記表示手段に表示させることを特徴としている。
これにより、フォニックスのみならず、接頭辞と、接尾辞と、語根と、音象徴文字列とについても同じものを含む英単語を体系的に学習することが可能になる。
【００１９】
また、本発明の電子辞書プログラムは、前記検索出力手段は、前記表示手段の表示面の中央部に、前記記憶手段から検索された英単語を表示させ、前記英単語の周囲に、前記英単語を構成する接頭辞と、接尾辞と、語根と、音象徴文字列とのうち少なくとも１以上及びその意味と、前記英単語中に含まれるフォニックス文字列と、を表示させることを特徴としている。
これにより、英単語を構成する要素を見えやすく表示できるので、英単語を構成する要素の把握、学習を容易に行うことができる。
【発明の効果】
【００２０】
本発明の電子辞書装置および電子辞書プログラムによれば、フォニックス文字列や音象徴文字列に基づいた英単語の学習を容易に行うことができる。
【図面の簡単な説明】
【００２１】
【図１】本発明に係る電子辞書装置の構成を示すブロック図である。
【図２】音象徴文字列と、その意味（音から受けるイメージ）と、その音象徴文字列を含んだ英単語例を表した表である。
【図３】電子辞書装置の第１実施形態の斜視図である。
【図４】電子辞書装置の稼働時の画面の一例を示す図である。
【図５】「entertainment」の英単語を入力したときの画面を示す図である。
【図６】英単語の意味、構成要素を表示した画面を示す図である。
【図７】英単語の意味、構成要素を表示した画面を示す図である。
【図８】英単語の意味、構成要素を表示した画面を示す図である。
【図９】英単語の周囲に英単語の構成要素を表示させた画面を示す図である。
【図１０】同一の接頭辞を有する単語を複数表示させた画面を示す図である。
【図１１】同一の語根を有する単語を複数表示させた画面を示す図である。
【図１２】同一の接尾辞を有する単語を複数表示させた画面を示す図である。
【図１３】同一のフォニックス文字列を有する単語を複数表示させた画面を示す図である。
【図１４】中心となる類義語の回りに複数の他の類義語を表示した図である。
【図１５】電子辞書プログラムのフロー図である。
【発明を実施するための形態】
【００２２】
以下添付図面に従って、本発明に係る電子辞書装置および電子辞書プログラムの好ましい実施の形態について詳述する。
【００２３】
［本発明の電子辞書装置の構成］
本発明の電子辞書装置について図面を参照して説明する。図１は、本発明に係る電子辞書装置の構成を示すブロック図である。図１に示すように、本発明の電子辞書装置は、文字を入力するための文字入力手段１０と、英単語に関するデータが記憶されている記憶手段１２と、文字等を表示するための表示手段１４と、記憶手段１２内のデータを検索して検索結果を表示手段１４に表示させる検索出力手段１６と、表示手段１４に表示されている文字列を選択するための選択手段１８と、を主に備えて構成される。
【００２４】
文字入力手段１０は、例えばキーボードなどの文字列を入力できる装置を用いることができる。しかしながら、キーボードに限定されるものではなく、例えば、音声入力装置を採用することもできるし、画面上に表示されたキーボードに対してのタッチ入力（画面へのタッチ）により文字列を入力する装置を採用することもできる。更に、画面上に表示されたキーボードに対してマウスを使用することによって文字列を入力する装置を採用することもできる。
【００２５】
記憶手段１２は、例えば、ハードディスクやフラッシュメモリ等を用いて構成することができるが、これらに限定されるものではなく、データを記憶するために用いられる任意の記憶装置を用いて構成することが可能である。
【００２６】
また、記憶手段１２には、複数の英単語について、英単語と、その英単語の意味と、その英単語中に含まれるフォニックスに基づく文字列であるフォニックス文字列と、そのフォニックス文字列の発音と、が関連づけられて記憶されている。また、記憶手段１２には、英単語を構成するパーツである接頭辞と、接尾辞と、語根と、音から受ける印象から意味を連想させる文字列である音象徴文字列とのうち、少なくとも１以上が更に英単語に関連づけられて記憶されていてもよい。
【００２７】
ここで、フォニックスとは、英語における単語を構成するアルファベットの発音の規則のことである（参考  非特許文献  アーサー・Ｗ・ハイルマン著／松香洋子訳「フォニックス指導の実際」玉川大学出版  １９８１年）。アルファベットを使用する言語の中で、綴りと発音とがほぼ一致するドイツ語のような言語もあるが、英語は、綴りと発音とは必ずしも一致しない。しかしながら、英語においても綴りと発音とにある程度の規則性はみられ、その規則性を見いだしたのがフォニックスである。本発明においてフォニックスに基づく文字列（以後、フォニックス文字列と称する）とは、フォニックスの規則に基づき英単語中において特定の発音を行う文字列のことをいう。
【００２８】
フォニックス文字列の例として、例えば、フォニックス文字列 "ea"は、/i:/（イー）と発音する場合と、/e/（エ）と発音する場合と、/ei/(エイ)と発音する場合とがある。単語 "tea", "seat", "heat", "clean"などに含まれている "ea"は、/i:/（イー）と発音し、単語 "head", "health", "heavy" などに含まれている "ea" は、/e/（エ）と発音し、 "break", "great" などに含まれている "ea" は、/ei/(エイ)と発音と発音する。
【００２９】
また、単語"real""idea"などに含まれる "ea" は、"re - al""i - de - a"と分節されて然るべきものであり、本発明においてはフォニックス文字列とは見なさない。
【００３０】
記憶手段１２は、単語と、この単語に含まれるフォニックス文字列と、このフォニックス文字列の発音とを関連づけて記憶している。記憶手段１２は、フォニックス文字列の発音を発音記号で記憶していてもよいし、カタカナやその他の記号で記憶していてもよいし、発音記号、カタカナ、その他の記号から選択される複数の記号で記憶していてもよい。記憶手段１２は、更に、フォニックス文字列の発音を文字だけではなく、音声でも記憶していてよいし、単語の発音の音声を記憶していてもよい。
【００３１】
接頭辞とは、接頭語とも呼ばれ、語の前について派生語を作り、元の語の意味を補ったり、変えたりする要素のことである。例えば、接頭辞"un", "dis" などは、notの意味を表し反意語を作る接頭辞である。接尾辞とは、接尾語とも呼ばれ、語の後ろについて派生語を作り、元の語の品詞を変えたり、意味を付加したりする要素のことである。例えば、接尾辞 "able" "ible" などは、これがついた語を形容詞にし、「できる」という意味を付加する。
【００３２】
語根とは、単語から接頭辞、接尾辞などを取り除いた最小の意味的単位であり、単語の基本を成す中心の要素のことである。例えば、英単語 "bionics"（生命工学）の語根は、"bio"であり「生命」という意味を有する。また、英単語"react"（反応する）の語根は、"act"であり、「〜する」の意味を有する。
【００３３】
音象徴文字列とは、音から受ける印象から意味を連想させる文字列のことをいう。英単語の多くは、この音象徴文字列を含んでおり、音象徴文字列の意味と英単語自身の意味とは、強い関連性を有している。よって、音象徴文字列のその意味を理解することにより、知らない英単語でもその意味を推測することが可能になる。
【００３４】
音象徴文字列について説明すると、日本語でも、「ころころと笑う」とした場合と「ころころと変わる」「ころころと太った」とした場合とでは、「コロ」の表すところが異なり、発音も微妙に違ってくる。同様に、英語における音象徴文字列も、そこに続く文字の影響を受けるなどしながら、表す意味が異なってくる。代表的な例をとって以下に説明する。
【００３５】
＜音象徴文字列「cl-」を含む英単語例とその意味（印象）＞
音象徴文字列の例を図２に示す。図２は、音象徴文字列と、その意味（音から受けるイメージ）と、その音象徴文字列を含んだ英単語例を表した表である。音象徴文字列「cl-」には、カラン（音）、まとめる（閉じる）、くっつく、はっきりという4種類の意味（印象）を有する。以下にそのうちの2種類について説明する。
【００３６】
(1) clock:時計  原義は「鐘」
「カランコロン」となる鐘の音から生成されたと考えられる。同様の例として、「clang：（カラン）と鳴る」などがある。
【００３７】
(2) club：クラブ  原義は「こぶ・塊 ← くるりと丸められたもの」
日本語の感覚からすると、「こん棒・（ゴルフ）クラブ」と「（人の集まりとしての）クラブ」がなぜ同じ「club」となるのかがわかりにくいが、後者も語源を知れば理解しやすくなる。同様の例として、「cloud：雲（原義は塊）」などがある。
【００３８】
(3) close：閉じる  
日本語でも「くるりと丸め込む」などというのと同様のイメージから生成されたと考えられる。同様の例として「clam:二枚貝・無口な人 ← 貝・くちびるをムッと閉じる様子」などがある。
記憶手段１２には、図２に示される音象徴文字列のうち少なくとも１種類以上の音象徴文字列がそれを含む英単語に関連づけられて記憶されていてもよい。
【００３９】
表示手段１４としては、液晶表示装置や有機EL表示装置、電子ペーパー等の表示装置を用いて構成することができるが、これらに限定されるものではなく、英単語を表示することができる任意の表示装置を用いて構成することが可能である。表示手段１４は、入力された文字や、検索結果の英単語等を表示する。
【００４０】
選択手段１８は、表示手段１４に表示されている文字列を選択するための装置であり、例えば、画面のタッチ入力装置、マウス、キーボード等を好適に使用することができるが、これに限定されるものではない。例えば、選択手段１８として画面のタッチ入力装置を用いる場合は、表示手段１４としての例えば液晶ディスプレイに表示された英単語や、フォニックス文字列等を指等でタッチすることにより選択することができる。
【００４１】
また、マウスを用いる場合は、表示手段１４に表示された英単語や、フォニックス文字列等にマウスカーソルをあわせ、マウスをクリックすることにより選択することができる。キーボードを用いる場合は、キーボードの特定のキーを押すことにより、選択された文字列の色が反転することにより選択された文字列が明示され、キーボードの特定のキーを押すごとに選択された文字列が別の文字列に切り替わり、目的の文字列が反転したときに、特定のキーを押すことによりその文字列を選択することができる。
【００４２】
検索出力手段１６は、CPUとメモリ（演算処理プロセッサ）、または専用のLSI等で構成され、文字入力手段１０によって入力された文字列、または、選択手段１８によって選択された文字列に基づいて記憶手段１２を検索し、検索結果を表示手段１４に表示させる。このとき、検索出力手段１６は、例えば、文字入力手段１０によって入力、または、選択手段１８によって選択されたのが英単語であった場合は、入力または選択された英単語と関連づけられて記憶手段１２に記憶されている、英単語の意味と、英単語中に含まれているフォニックス文字列と、そのフォニックス文字列の発音とを記憶手段１２から検索して表示手段１４に表示させる。
【００４３】
また、英単語、英単語の意味、フォニックス文字列、フォニックス文字列の発音のうちのいずれかが文字入力手段１０によって入力、または、選択手段１８によって選択されたとき、それと関連づけられて記憶されている情報（それらを含む英単語等）を表示手段１４に表示させてもよい。
【００４４】
更に、記憶手段１２に接頭辞、接尾辞、語根、音象徴文字列、がその意味とともにそれらを含む英単語に関連づけられて記憶手段１２に記憶されているときは、検索出力手段１６は、英単語、英単語の意味、フォニックス文字列、フォニックス文字列の発音、接頭辞及びその意味、接尾辞及びその意味、語根及びその意味、音象徴文字列及びその意味、のうちの任意のものが文字入力手段１０により入力、または、選択手段１８によって選択されたとき、入力または選択されたものと関連づけられて記憶手段１２に記憶されているそれらの情報（それらを含む英単語等）を表示手段１４に表示させてもよい。
【００４５】
＜第１実施形態＞
次に、本発明の第１実施形態である電子辞書装置について図面を参照して説明する。図３は、電子辞書装置の第１実施形態の斜視図である。図３に示すように、電子辞書装置３０は、折りたたみ式の筐体３１と、キーボード３２と、タッチ式液晶モニタ３３と、不図示のフラッシュメモリと、不図示の演算処理プロセッサとを主に備えて構成されている。
【００４６】
キーボード３２は図１の文字入力手段１０に対応し、タッチ式液晶モニタ３３は表示手段１４と選択手段１８とに対応し、フラッシュメモリは記憶手段１２に対応し、演算処理プロセッサは検索出力手段１６に対応する。タッチ式液晶モニタ３３は、表示画面がタッチ式のスイッチになっており、表示画面を指等でタッチすることにより、表示している文字等のうちタッチした文字等選択することができる。
【００４７】
折りたたみ式の筐体３１を開けてキーボード３２のパワーオンスイッチを押すことにより、電子辞書装置３０は画面を表示し稼働を開始する。電子辞書装置３０の稼働時の画面の一例を図４に示す。
【００４８】
図４に示すように、タッチ式液晶モニタ３３（以後、単に画面とも称する）には、「検索したい単語を入力してください」の表示とともに、文字入力欄４１が表示される。更に、画面の下部右端には「戻る」という文字とその下にＵ字形状矢印４４とが表示されている。
【００４９】
図４に示される段階では、「前方検索」の文字の下にある左向き三角形４２ａと右向き三角形４２ｂ、「後方検索」の文字の下にある左向き三角形４３ａと右向き三角形４３ｂ、さらに画面の下部中央にある「アルファベット順検索」４５という文字と「パーツ検索」４６という文字についてはグレーアウトの状態にあり、利用不可の状態にある。
【００５０】
キーボード３２から任意の語（例として、「entertainment」）が入力された状態である図５において、キーボード３２のエンターキーを押すことにより、または、画面の文字入力欄４１を指等でタッチ（以後単にタッチという）またはカーソルを合わせてクリック（以後単にクリックという）することにより、図６に示すように、該当単語と該当単語の意味と、用例等が表示される画面になる。
【００５１】
図６の画面上では、「前方検索」の文字の下にある左向き三角形４２ａと右向き三角形４２ｂ及び「後方検索」の文字の下にある左向き三角形４３ａと右向き三角形４３ｂ、さらに、画面の下部中央にある「アルファベット順検索」４５という文字と「パーツ検索」４６という文字がグレーアウトの状態から解放され、操作可能となる。
【００５２】
図６のように表示されているときは、「アルファベット順検索」４５と「パーツ検索」４６とのうち、「アルファベット順検索」４５が選択された状態にある。「アルファベット順検索」が選択された状態で「前方検索」の文字の下にある左向き三角形４２ａをタッチまたはクリックすると、記憶手段１２に記憶されたすべての語の中から、例えば「entertaining」など、単語前方からのアルファベット順の単語のうち、ここで例示した「entertainment」の１つ前の単語が提示される。また、「前方検索」の文字の下にある右向き三角形４２ｂをタッチまたはクリックすると、記憶手段１２に記憶されたすべての語の中から、例えば「enthrall」など、単語前方からのアルファベット順の単語のうち、ここで例示した「entertainment」の１つ後の単語が表示される。
【００５３】
上記と同様に図６のように表示されているとき、「後方検索」の文字の下にある左向き三角形４３ａをタッチまたはクリックすると、記憶手段１２に記憶されたすべての語の中から、例えば「assignment」など、単語後方からのアルファベット順の単語のうち、ここで例示した「entertainment」の１つ前の単語が提示される。また、「後方検索」の文字の下にある右向き三角形４３ｂをタッチまたはクリックすると、記憶手段１２に記憶されたすべての語の中から、例えば「attainment」など、単語後方からのアルファベット順の単語のうち、ここで例示した「entertainment」の１つ後の単語が表示される。
【００５４】
図示はしていないが、後方検索によれば、例えば「cream - scream - dream - stream - seam - team - steam」などの語を近接して提示することができ、学習者につづり字と音との関係に対して気づきを促し、単語の習得を効率的にすることができる。
【００５５】
次に、図５または図６の状態から「パーツ検索」４６の文字をタッチすると、図９に示すように、画面の中央部に単語とその意味が表示され、単語の周囲に接頭辞、接尾辞、語根、フォニックス文字列、類義語、音象徴文字列のうち、該当単語に含まれるものが表示される。
【００５６】
図９においては、単語「entertainment」に含まれるフォニックス文字列である「er」と「ai」及び類義語の「fun」が、単語「entertainment」の上に表示され、接頭辞、語根、接尾辞である「enter」、「tain」、「ment」が、単語「entertainment」の下に表示されている。
【００５７】
図９のように画面表示されているとき、（相互に・間に）という意味を有する接頭辞「enter」９０の文字をタッチまたはクリックすると、図１０に示すように、接頭辞「enter」を有する単語を複数表示する。またこのとき、動詞「enter（入る）」やその派生語である「entry：入場・入会」や、接頭辞「enter」の異形である「inter」を含む「international（国際的な）」などの語を同時に表示しても良い。
【００５８】
一方、従来の技術である「部分一致検索」では、「enterを含む語」やその異形である「interを含む語」と検索した場合、「center」や「winter」など接頭辞「enter」を含まない語までを検索してしまっていたが、ここでは同一接頭辞を有する語及び関連する語のみが検索、表示されるため、体系的に学習することが可能となる。
【００５９】
図９のように画面表示されているとき、前記と同様に、（保つ・含む）という意味の語根「tain」９１の文字をタッチまたはクリックすると、図１１に示すように、語根「tain」を有する単語を複数表示する。またこのとき、語根「tain」９１の異形である「ten」を含む「content（中身）」などの語を同時に表示しても良い。
【００６０】
一方、従来の技術である「部分一致検索」では、「tainを含む語」と検索した場合、「stain」や「mountain」など語源の異なる語までを検索してしまっていたが、ここでは同一語根を有する語のみが検索、表示されるため、体系的に学習することが可能となる。
【００６１】
図９のように画面表示されているとき、前記と同様に、（結果・状態などを表す名詞を作る）接尾辞「ment」９２の文字をタッチまたはクリックすると、図１２に示すように、接尾辞「ment」を有する単語を複数表示する。またこのとき、従来の技術である「部分一致検索」では、「mentを含む語」と検索した場合、「mental」や「mention」など接尾辞「ment」を含まない語までを検索してしまっていたが、ここでは同一接尾辞を有する語のみが検索、表示されるため、体系的に学習することが可能となる。
【００６２】
図９のように画面表示されているとき、前記と同様に、（/ei/ エイと発音される）フォニックス文字列「ai」９３の文字をタッチまたはクリックすると、図１３に示すように、フォニックス文字列「ai」を有する単語を複数表示する。
【００６３】
またこのとき、従来の技術である「部分一致検索」では、「aiを含む語」と検索した場合、「said」の「ai(/e/ エと発音される）」や「mountain」の「ai(/i/ イと発音される）」など発音が異なる語までを検索してしまっていた上に、「hair」の「air」などフォニックス文字列としては「ai」９３とは区別して然るべきものまでを混同して検索してしまっていた。しかしながら、本発明では、同一フォニックス文字列を有し、発音も同じくする語のみが検索、表示されるか、同一フォニックス文字列を有する語のみが、その発音ごとに分別されて検索、表示されるため、体系的に学習することが可能となる。
【００６４】
図示はしていないが、前記と同様に、（/i:/ イーと発音される）フォニックス文字列「ea」を有する単語を複数表示する場合、従来の技術である「部分一致検索」では、「eaを含む語」と検索した場合、「real」や「react」の「ea」など「re - al」「re - act」と分節されて然るべき文字列までを検索・表示してしまっていた。しかしながら、本発明では、「real」や「react」の「ea」ようなフォニックス文字列とは認められない「ea」を含む語は除外されるため、発音と綴りの関係について混乱することなく、体系的に学習することが可能となる。
【００６５】
図９のように画面表示されているとき、funの文字９４をタッチまたはクリックすると、図１４に示すように、entertainmentの類義語funと、funの類義語を画面に表示する。これにより、類義語を体系的に学習することができる。
【００６６】
また、図示はしていないが、音象徴文字列を単語とともに表示した場合も上記同様である。即ち、表示された音象徴文字列をタッチすることにより、その音象徴文字列と同じ音象徴文字列を有する単語を複数表示することができる。そして、表示された単語をタッチまたはクリックすることにより、図６、図７、図８に示すような、該当単語と該当単語の意味と、用例等が表示される。
【００６７】
図９において、即ち「パーツ検索」が選択された状態においては、「前方検索」の文字の下にある左向き三角形４２ａと右向き三角形４２ｂ及び「後方検索」の文字の下にある左向き三角形４３ａと右向き三角形４３ｂとはグレーアウトの状態にある。
【００６８】
図９において、即ち「パーツ検索」が選択された状態において、再度、「アルファベット順検索」４５が選択された場合、画面は図６に戻り、「前方検索」の文字の下にある左向き三角形４２ａと右向き三角形４２ｂ及び「後方検索」の文字の下にある左向き三角形４３ａと右向き三角形４３ｂとがグレーアウトの状態から解放され、操作可能となる。
【００６９】
図９において、任意の単語を構成するフォニックス文字列、接頭辞、接尾辞、語根、音象徴文字列等の構成要素をタッチまたはクリックすると、画面は図１０・図１１・図１２・図１３に示すように、それぞれの構成要素を含む語が複数表示され、このとき、「前方検索」の文字の下にある左向き三角形４２ａと右向き三角形４２ｂ及び「後方検索」の文字の下にある左向き三角形４３ａと右向き三角形４３ｂとがグレーアウトの状態から解放され、操作可能となる。
【００７０】
図１０・図１１・図１２・図１３において、複数表示された単語のうちの一つ、たとえば「entertainment」をタッチまたはクリックすると、図６に示すような、該当単語と該当単語の意味と、用例等が表示される。
【００７１】
図１０において、即ち、図９の画面で接頭辞「enter」９０の文字がタッチまたはクリックされた状態から、「前方検索」の文字の下にある左向き三角形４２ａをタッチまたはクリックすると、接頭辞「enter」９０を含む語の中から、例えば「entertain」など、単語の前方からのアルファベット順の単語のうち「entertainment」の１つ前に来る単語について、図６と同様の画面上に、該当単語と該当単語の意味と、用例等が表示される。
【００７２】
図１０において、即ち、図９の画面で接頭辞「enter」９０の文字がタッチまたはクリックされた状態から、「前方検索」の文字の下にある、右向き三角形４２ｂをタッチまたはクリックすると、接頭辞「enter」９０を含む語の中から、単語前方からのアルファベット順の単語のうち「entertainment」の１つ後に来る単語について、図６と同様の画面上に、該当単語と該当単語の意味と、用例等が表示される。
【００７３】
ただし、図９において画面中央に表示されていた単語が、接頭辞「enter」９０を含む語の中で、単語前方からのアルファベット順の単語のうちの最後の語であるときには、もう一度先頭に戻って、例えば「enter」が表示される。
【００７４】
図１０において、即ち、図９の画面で接頭辞「enter」９０の文字がタッチまたはクリックされた状態から、「後方検索」の文字の下にある左向き三角形４３ａをタッチまたはクリックすると、画面に表示された接頭辞「enter」９０を含む語の中から、例えば「enter」など、単語後方からのアルファベット順の単語のうち「entertainment」の１つ前に来る単語について、図６と同様の画面上に、該当単語と該当単語の意味と、用例等が表示される。
【００７５】
図１０において、即ち、図９の画面で接頭辞「enter」９０の文字がタッチまたはクリックされた状態から、「後方検索」の文字の下にある、右向き三角形４３ｂをタッチまたはクリックすると、接頭辞「enter」９０を含む語の中から、単語後方からのアルファベット順の単語のうち「entertainment」の１つ後に来る単語について、図６と同様の画面上に、該当単語と該当単語の意味と、用例等が表示される。ただし、図９において画面中央に表示されていた単語が、図１０で表示された接頭辞「enter」を含む語の中で、単語後方からのアルファベット順に整列させた場合の最後の語であるときには、もう一度先頭に戻って、例えば「enterprise」が表示される。
【００７６】
図示はしていないが、画面１１と同様の場面、即ち、任意のフォニックス文字列を含む語が複数表示された画面から、「前方検索」の文字の下にある左向き三角形４２ａをタッチまたはクリックした場合、画面には、例えば「 leap → lean → leak → league → leaf 」のように共通するフォニックス文字列を含む単語が、単語前方からのアルファベット順降順で検索される。同様に、「前方検索」の文字の下にある左向き三角形４２ｂをタッチまたはクリックした場合、画面には、「 leaf → league → leak → lean → leap 」のように共通するフォニックス文字列を含む単語が、単語前方からのアルファベット順昇順で検索され、図６と同様の画面上に、該当単語と該当単語の意味と、用例等が表示される。なお、上記は図１２・図１３などにおいて、即ち、任意の接尾辞、語根、音象徴文字列等の構成要素を含む語が複数表示された画面においても同様である。
【００７７】
また、これも図示はしていないが、画面１１と同様の場面、即ち、任意のフォニックス文字列を含む語が複数表示された画面から、「後方検索」の文字の下にある左向き三角形４３ａをタッチまたはクリックした場合、画面には、例えば「restrain → strain → train → grain → refrain 」のように共通するフォニックス文字列を含む単語が、単語後方からのアルファベット順降順で検索され、同様に、「後方検索」の文字の下にある左向き三角形４３ｂをタッチまたはクリックした場合、画面には、「 refrain → grain → train → strain → restrain 」のように共通するフォニックス文字列を含む単語が、単語後方からのアルファベット順昇順で検索され、図６と同様の画面上に、該当単語と該当単語の意味と、用例等が表示される。
【００７８】
なお、上記は図１２・図１３などにおいて、即ち、任意の接尾辞、語根、音象徴文字列等の構成要素を含む語が複数表示された画面においても同様である。
【００７９】
＜第２実施形態＞
次に本発明の第２実施形態について説明する。本発明の第２実施形態は、第１実施形態の電子辞書の機能をパソコンや、携帯端末で実現するための電子辞書プログラムである。本説明においては、例として、パソコンを電子辞書として機能させるプログラムについて説明するが、携帯端末にもこのプログラムが適用できることは言うまでも無いことである。
【００８０】
また、本発明の電子辞書プログラムは、第１実施形態の電子辞書装置の機能を実現することを可能にするプログラムであり、第１実施形態での説明内容を全て含むものなので、第１実施形態で説明された内容については、以下の説明において省略する場合もある。
【００８１】
図１を参照して、本発明の電子辞書プログラム（以後、単に電子辞書プログラムと称する）は、コンピュータであるパソコンを、記憶手段１２と、文字入力手段１０と、表示手段１４と、検索出力手段１６と、選択手段１８として機能させるプログラムである。
【００８２】
更に説明すると、電子辞書プログラムは、パソコンが備えている記憶手段であるハードディスク、フラッシュメモリ、DVD-ROM、CD-ROM、ブルーレイディスク、MO等を英単語と、前記英単語の意味と、前記英単語中に含まれるフォニックスに基づく文字列であるフォニックス文字列と、前記フォニックス文字列の発音と、を関連づけて記憶する記憶手段として機能させる。
【００８３】
これにより、電子辞書プログラムは、これら英単語に関する情報が記憶された記憶装置からのデータの読み取りを可能にする。また、記憶装置が、書き込み可能な装置であるならば、英単語に関する情報を追記できるようにしてもよい。
【００８４】
また、電子辞書プログラムは、パソコンの例えばキーボードなどの入力端末を文字入力手段として機能させる。具体的には、電子辞書プログラムは、キーボード等の入力端末に入力された文字情報を取得する命令を含んで構成され、入力端末に入力された文字情報を取得する。
【００８５】
更に、電子辞書プログラムは、パソコンの表示手段である、例えば液晶等のディスプレイに文字を表示させる命令を含んで構成され、ディスプレイにキーボードから入力された文字を表示させたり、記憶装置に記憶されている英単語やそれに関する情報を表示させたりすることを可能にする。
【００８６】
更にまた、電子辞書プログラムは、キーボードから入力された文字列に基づいて、記憶装置内に記憶された英単語に関する情報を検索し、検索結果をディスプレイに表示させる命令を含んで構成される。これにより、キーボードから入力された英単語の意味や、その英単語を構成するフォニックス文字列、接頭辞、接尾辞、語根、音象徴文字列等の構成要素を記憶装置から検索してディスプレイに表示することが可能となる。
【００８７】
また、電子辞書プログラムは、ディスプレイに表示された文字列を選択して取得する命令を含んで構成されている。これにより、ディプレイがタッチ入力可能な機能を備えているものならば、タッチされたディスプレイに表示された文字列を認識し、取得することが可能になる。また、ディスプレイがタッチ入力機能を備えていない場合は、例えば、マウスにより画面上の所望の文字列にマウスカーソルを移動させてクリックしたとき、マウスカーソルが選択している文字列を認識し、読み込むことができる。
【００８８】
次に本発明の電子辞書プログラムについて、図面を参照して説明する。図１５は、電子辞書プログラムのフロー図である。図１５に示すように、パソコンは、電子辞書プログラムに従い図４に示すような入力待ち画面をディスプレイに表示させる（ステップS1）。次に、キーボードからの入力待ちを続け、キーボードからの入力があった場合、入力された文字を図５に示すようにディスプレイに表示させる（ステップS2）。
【００８９】
パソコンは、入力を待ち続け、文字入力欄４１（図５）が選択された、即ち、文字入力欄の画面がタッチされた否かを判断し（ステップS3）、選択（タッチ）された場合は（Ａ）であるステップＳ６を実行し、選択（タッチ）されてない場合はステップS4を実行する。ステップS4では、パーツ検索４６が選択（タッチ）されたか否か判断し、選択（タッチ）された場合は（Ｂ）であるステップS12を実行し、選択（タッチ）されていない場合は、ステップS5を実行する。
【００９０】
ステップS5では、上記以外、即ち、文字入力欄、パーツ検索以外が選択（タッチ）されたか否かを判断し、選択（タッチ）された場合は、（Ｃ）であるステップS16を実行し、そうでない場合は、（Ｄ）であるステップS3から実行する。
【００９１】
（Ａ）であるステップS6では、入力された文字に関する情報を記憶手段であるハードディスク等から検索する。具体的には、入力された英単語の意味と用例とを記憶手段から検索し（ステップS6）、図６に示すようにディスプレイに表示する（ステップS7）。
【００９２】
次に、前方検索（図６の記号４２ａ、４２ｂ）、後方検索（図６の記号４３ａ、４３ｂ）が選択（タッチ）されたか否か判断する（ステップS8）。前方検索の記号４２ａ（図６）が選択された場合は、記憶手段１２に記憶されたすべての語の中から、単語前方からのアルファベット順で、該当単語の１つ前の単語が検索され（ステップS9）、ステップS７を実行する。前方検索の記号４２ｂ（図６）が選択された場合は、単語前方からのアルファベット順で、該当単語の１つ後の単語が検索され（ステップS9）、ステップS７を実行する。
【００９３】
後方検索の記号４３ａ（図６）が選択された場合は、記憶手段１２に記憶されたすべての語の中から、単語後方からのアルファベット順で、該当単語の１つ前の単語が検索され（ステップS9）、ステップS７を実行する。後方検索の記号４３ｂ（図６）が選択された場合は、単語後方からのアルファベット順で、該当単語の１つ後の単語が検索され（ステップS9）、ステップS７を実行する。
【００９４】
前方検索、後方検索とも選択されなかった場合は、ステップS10を実行する。ステップS10では、パーツ検索（図６の記号４６）が選択（タッチ）されたか否か判断する。パーツ検索（図６の記号４６）が選択（タッチ）された場合は、（Ｂ）であるステップS12を実行し、そうで無い場合はステップS11を実行する。ステップS11では、上記以外、即ち、前方検索、後方検索、パーツ検索以外が選択されたか否かを判断し、前方検索、後方検索、パーツ検索以外が選択された場合は、（Ｃ）であるステップS16を実行し、そうでない場合はステップS8から実行する。
【００９５】
（Ｂ）であるステップS12では、キーボードから入力された英単語、または、画面に表示されている英単語（図６においては「entertainment」、図７においては「comment」）の構成要素（接頭辞、接尾辞、語根、フォニックス文字列、音象徴文字列）と、類義語と、を記憶手段から検索して図９に示すようにディスプレイに表示する。
【００９６】
次のステップS13では、構成要素（または類義語）が選択（タッチ）されたか否かを判断し、構成要素（または類義語）が選択(タッチ)された場合は（Ｅ）であるS15を実行し、そうでない場合はステップS14を実行する。ステップS14では、上記以外、即ち、構成要素（と類義語）以外が選択(タッチ)されたか否かを判断し、構成要素（と類義語）以外が選択（タッチ）された場合は（Ｃ）であるステップS16を実行し、そうでない場合はステップS13から実行する。
【００９７】
（Ｃ）であるステップS16では、選択された命令を実行する。例えば、図６のように表示されている場合において記号４４である「戻る」を選択(タッチ)した場合は、一つ前の画面に戻って表示する。例えば、図６を表示していた場合では、一つ前の画面である図５の表示に戻る。
【００９８】
（Ｅ）であるステップS15では、構成要素が選択された場合は、選択された構成要素を含む単語を記憶手段から検索してディスプレイに複数表示し、その後、ディスプレイに複数表示された単語の中から任意の語が選択されたか判断し（ステップS17）、選択された場合には、（Ａ）であるステップS6から実行する。
【００９９】
選択されなかった場合は、前方検索の記号４２ａ（図６）が選択されたか判断し（ステップS18）選択された場合は、同じ構成要素を含む単語の中から、単語前方からのアルファベット順で、該当単語の１つ前の単語が検索され（ステップS9）、ステップS７を実行する。次に、前方検索の記号４２ｂ（図６）が選択されたか判断し（ステップS19）、選択された場合は、単語前方からのアルファベット順で、該当単語の１つ後の単語が検索され（ステップS9）、ステップS７を実行する。
【０１００】
選択されなかった場合は、後方検索の記号４３ａ（図６）が選択されたか判断し（ステップS20）選択された場合は、同じ構成要素を含む単語の中から、単語後方からのアルファベット順で、該当単語の１つ前の単語が表示され（ステップS9）、ステップS７を実行する。次に、後方検索の記号４３ｂ（図６）が選択されたか判断し（ステップS21）選択された場合は、単語後方からのアルファベット順で、該当単語の１つ後の単語が表示され（ステップS9）、ステップS７を実行する。
【０１０１】
本発明の電子辞書プログラムは、ディスプレイに表示された文字列を選択（タッチ）することにより、それに対応した情報を記憶手段から検索してディスプレイに表示させることができる。
【符号の説明】
【０１０２】
１０…文字入力手段、１２…記憶手段、１４…表示手段、１６…検索出力手段、１８…選択手段、３０…電子辞書装置、３１…筐体、３２…キーボード、３３…タッチ式液晶モニタ、４１…文字入力欄、４２ａ…前方検索の左向き三角形、４２ｂ…前方検索の右向き
三角形、４３ａ…後方検索の左向き三角形、４３ａ…後方検索の右向き三角形、４４…Ｕ字形状矢印、４５…アルファベット順検索、４６…パーツ検索
【要約】
【課題】フォニックス文字列や音象徴文字列に基づいた英単語の学習を容易に行うことができる電子辞書装置および電子辞書プログラムを提供する。
【解決手段】  英単語と、前記英単語の意味と、前記英単語中に含まれるフォニックス文字列と、前記フォニックス文字列の発音と、が関連づけられて記憶される記憶手段と、文字入力手段と、表示手段と、前記文字入力手段に入力された文字列に基づいて前記記憶手段を検索し、その結果を表示させる検索出力手段と、前記表示手段に表示された文字列を選択するための選択手段と、を備え、前記検索出力手段は、前記選択手段によって選択されたフォニックス文字列と同じ発音のフォニックス文字列を有する英単語を前記記憶手段から検索し、検索した前記英単語を前記表示手段に表示させる電子辞書装置。
【選択図】図１【図１】
0005492334.tif 000002
【図２】
0005492334.tif 000003
【図１５】
0005492334.tif 000004
【図３】
0005492334.tif 000005
【図４】
0005492334.tif 000006
【図５】
0005492334.tif 000007
【図６】
0005492334.tif 000008
【図７】
0005492334.tif 000009
【図８】
0005492334.tif 000010
【図９】
0005492334.tif 000011
【図１０】
0005492334.tif 000012
【図１１】
0005492334.tif 000013
【図１２】
0005492334.tif 000014
【図１３】
0005492334.tif 000015
【図１４】
0005492334.tif 000016